(57)【要約】【課題】雨天時の電気計測器に対する作業においても、電気計測器が濡れることをできるだけ防ぐと共に、検針窓が曇る事態を回避することができ、また、カバーを取り外すことに起因する不都合を回避することが可能な計器箱を提供する。【解決手段】電気計測器４が取り付けられるベース２と、このベース２に嵌合してベース２との間に電気計測器４を収容する収容空間５を形成すると共に前面に検針窓６を備えたカバー３とを有して構成される計器箱１において、カバー３を、検針窓６より下方の部分を境にして上下に二分された上側カバー構成部材３ａと下側カバー構成部材３ｂとにより構成し、上側カバー構成部材３ａの前面下縁と下側カバー構成部材３ｂの前面上縁とをヒンジ機構７により回動可能に連結する。これにより、下側カバー構成部材３ｂをヒンジ機構７を中心として前方側から上方へ向かって回動可能とする。【選択図】  図１
2013142632.tif 000002
【特許請求の範囲】
【請求項１】
電気計測器が取り付けられるベースと、このベースに嵌合して前記ベースとの間に前記電気計測器を収容する収容空間を形成すると共に前面に検針窓を備えたカバーとを有して構成される計器箱において、
前記カバーを、前記検針窓より下方の部分を境にして上下に二分された上側カバー構成部材と下側カバー構成部材とにより構成し、
前記上側カバー構成部材の前面下縁と前記下側カバー構成部材の前面上縁とをヒンジ機構により回動可能に連結し、前記下側カバー構成部材を前記ヒンジ機構を中心として前方側から上方へ向かって回動可能としたことを特徴とする計器箱。
【請求項２】
前記ベースと前記カバーの前記上側カバー構成部材との嵌合部分には、一方に嵌合突部を、他方に前記嵌合突部を受ける嵌合受け部を設けたことを特徴とする請求項１記載の計器箱。
【請求項３】
前記カバーの内側には、前記上側カバー構成部材と前記下側カバー構成部材との間をシールするシール部材が設けられていることを特徴とする請求項１又は２記載の計器箱。
【請求項４】
前記ヒンジ機構は、前記下側カバー構成部材を任意の回動位置で保持できるものであることを特徴とする請求項１乃至３のいずれかに記載の計器箱。
【請求項５】
前記下側カバー構成部材には、開いた際に前記ベースと嵌合する嵌合縁より下方へ延出可能なシート部材を設けたことを特徴とする請求項１乃至４
のいずれかに記載の計器箱。
【発明の詳細な説明】
【技術分野】
【０００１】
本発明は、電力量計等の電気計測器を収容する計器箱に関し、特に、電気計測器にアクセスする作業時に、計器箱のカバーを外すことなく作業を行うことができ、また、雨天時の作業において電気計測器を濡らすことなく作業を行うことが可能な計器箱に関する。
【背景技術】
【０００２】
電力量計等の電気計測器を屋外に取り付ける場合には、電気計測器が雨等に曝されたり異物が当たらないようにするために、計器箱の中に電気計測器を収容するようにしている。
このような計器箱は、電気計測器を取り付けるベースと、このベースに取り付けられて電気計測器を覆うカバーとを有して構成され、ベースを家屋等の壁面に設置し、そこに電気計測器を取り付け、しかる後にカバーで覆うようにしている（特許文献１，２参照）。
【先行技術文献】
【特許文献】
【０００３】
【特許文献１】特開２００９−１８０６３９号公報
【特許文献２】特開２００７−１１４１１４号公報
【発明の概要】
【発明が解決しようとする課題】
【０００４】
しかし、従来の電気計測器にアクセスする作業において、例えば、ケーブルの取り付け、取り外しの際には、雨天時においても計器箱のカバーを外して作業を行う必要があるため、電気計測器が濡れてしまい、そのままカバーをすると、計器箱の検針窓が曇り、指示数が確認しにくくなるという不都合がある。
また、計器箱のカバーを外した場合には、そのカバーを置く場所を探す必要があり、また、誤ってカバーを落下させて破損させる等の不都合もある。
【０００５】
本発明は、係る事情に鑑みてなされたものであり、雨天時の電気計測器に対する作業においても、電気計測器が濡れることをできるだけ防ぐと共に、検針窓が曇る事態を回避することができ、また、カバーを取り外すことに起因する不都合を回避することが可能な計器箱を提供することを主たる課題としている。
【課題を解決するための手段】
【０００６】
上記課題を達成するために、本発明に係る計器箱は、電気計測器が取り付けられるベースと、このベースに嵌合して前記ベースとの間に前記電気計測器を収容する収容空間を形成すると共に前面に検針窓を備えたカバーとを有して構成され、前記カバーを、前記検針窓より下方の部分を境にして上下に二分された上側カバー構成部材と下側カバー構成部材とにより構成し、前記上側カバー構成部材の前面下縁と前記下側カバー構成部材の前面上縁とをヒンジ機構により回動可能に連結し、前記下側カバー構成部材を前記ヒンジ機構を中心として前方側から上方へ向かって回動可能としたことを特徴としている。
【０００７】
したがって、電気計測器へのアクセスが必要な作業を行う場合には、カバーを外さずに、下側カバー構成部材をヒンジ機構を中心として前方側から上方へ向かって回動させ、計器箱の下部を開く。この状態においては、下側カバー構成部材は回動しながら上側カバー構成部材の前方へ変位することになるので、カバーの下部が開放されて電気計測器にアクセスすることが可能になると共に、上側カバー構成部材よりも前方へ突き出た下側カバー構成部材により、あたかも庇が構成されてその下方に作業空間が形成されることとなる。
このため、作業者は、雨天時においても下側カバー構成部材を開けることによって、電気計測器を濡らすことなく作業を行うことが可能となる。
【０００８】
ここで、前記ベースと前記カバーの前記上側カバー構成部材との嵌合部分には、一方に嵌合突部を、他方に前記嵌合突部を受ける嵌合受け部を設けることが好ましい。このような構成を採用することにより、下側カバー構成部材を前方側から上方へ向かって回動させる際に、上側カバー構成部材が下側カバー構成部材と共に押し上げられてベースから外れる不都合がなくなる。
【０００９】
また、前記カバーの内側には、前記上側カバー構成部材と前記下側カバー構成部材との間をシールするシール部材を設けるようにするとよい。
下側カバー構成部材を回動させて上側カバー構成部材の前方へ突き出すことにより、上方が下側カバー構成部材により覆われた作業空間が形成されるので、雨水の電気計測器への付着を低減させることが可能となるが、上側カバー構成部材と下側カバー構成部材との間はヒンジ機構を介して分断されているので、上側カバー構成部材と前記下側カバー構成部材との間から雨水が滴り落ちることが想定される。このため、カバーの内側に、上側カバー構成部材と下側カバー構成部材との間をシールするシール部材を設けることで、両カバー構成部材の間から滴り落ちる雨水を無くし、より確実に  電力計機器への水の付着を抑えることが可能となる。
【００１０】
尚、ヒンジ機構は、下側カバー構成部材を任意の回動位置で保持できるような構成を備えたもの（回動する摩擦力を予め調節して手を放しても下側カバー構成部材が自重により回動しないようにしたり、回動を規制する機構を設けたりすること）が作業を行う上では好ましい。
【００１１】
また、下側カバー構成部材に、開いた際に前記ベースと嵌合する嵌合縁より下方へ延出可能なシート部材を設けるようにしてもよい。
このような構成を設けることで、下側カバー構成部材を開いた際にシート部材を垂れ下げておくことで作業空間の前方から跳ね上がる雨水等の電気計測器への付着を遮り、電気計測器が濡れることをより効果的に防ぐことができると共に、計器作業時に短絡等でアークが発生した場合でも火傷する恐れを激減することが可能となる。通常、壁面等に取り付けられた電気計測器を作業する場合には、頭部に防災面を装着してアークの発生による火傷を回避するようにしているが、上述のような構成とすることで、防災面と合わせて顔面の火傷を二重に防止することが可能となる。
【発明の効果】
【００１２】
以上述べたように、本発明に係る計器箱によれば、ベースに嵌合して電気計測器を覆うカバーを、検針窓より下方の部分を境にして上下に二分された上側カバー構成部材と下側カバー構成部材とにより構成し、下側カバー構成部材を上側カバー構成部材と連結するヒンジ機構を中心として前方側から上方へ向かって回動できるようにしたので、雨天時の電気計測器に対する作業においても、下側カバー構成部材をヒンジ機構を中心として前方側から上方へ回動させて、この下側カバー構成部材の下方に作業空間を形成することができるので、電気計測器が濡れることをできるだけ防ぐことが可能となり、また、計器に雨水が付着することにより検針窓が曇る事態を回避することも可能となる。また、カバーを取り外さなくても作業を行うことが可能となるので、カバーの置き場所を探したり、カバーを誤って落下させて破損させたりすることがなくなり、カバーを取り外すことに伴う不都合を回避することが可能となる。
【００１３】
また、ベースと上側カバー構成部材との嵌合部分に、一方に嵌合突部を、他方に前記嵌合突部を受ける嵌合受け部を設けることで、下側カバー構成部材を前方側から上方へ向かって回動させる場合に上側カバー構成部材が下側カバー構成部材と共に押し上げられてベースから外れる不都合を無くすことが可能となり、下側カバー構成部材のみを確実に開放させることが可能となる。
【００１４】
さらに、カバーの内側に、上側カバー構成部材と下側カバー構成部材との間をシールするシール部材を設けるようにすることで、上側カバー構成部材と下側カバー構成部材との間から雨水が滴り落ちることを防ぐことが可能となり、より確実に電力計機器への雨水の付着を抑えることが可能となる。
【００１５】
尚、下側カバー構成部材を開放させて作業を行うことから、ヒンジ機構には、下側カバー構成部材を任意の回動位置で保持できる構成とすることで、作業性を向上させることが可能となり、また、下側カバー構成部材を保持する機構を別途設ける必要がなくなる。
【００１６】
さらにまた、下側カバー構成部材に、開いた際に前記ベースと嵌合する嵌合縁より下方へ延出可能なシート部材を設けるようにすることで、作業空間の前方から跳ねる水が電気計測器に付着して濡れるのを避けることが可能となり、また、計器作業時に短絡等でアークが発生した場合でも火傷する恐れを低減することが可能となる。
【図面の簡単な説明】
【００１７】
【図１】図１は、本発明に係る計器箱の全体構成例を示す図であり、（ａ）はその斜視図、（ｂ）はその側断面図である。
【図２】図２は、ベースと上側カバー構成部材との嵌合部分に設けられた嵌合突部とこれを受ける嵌合受け部とを示す図である。
【図３】図３は、カバーの上側カバー構成部材と下側カバー構成部材とを連結するヒンジ機構とカバーの内側に設けられたシール部材を示す図であり、（ａ）は下側カバー構成部材を閉じた状態を示し、（ｂ）は下側カバー構成部材を開いた状態を示す。
【図４】図４は、下側カバー構成部材を開いてカバーの下側に作業空間を形成し、作業を行っている状態を示す図である。
【図５】図５は、下側カバー構成部材を開いてこれに収容されているシート部材を回動させて下側カバー構成部材のベースと嵌合する嵌合縁よりも下方へ延出させた状態を示す図である。
【発明を実施するための最良の形態】
【００１８】
以下、この発明の実施形態について図面により説明する。
【００１９】
図１に示すように、本願発明に係る計器箱１は、家屋の壁面等に固定されるベース２と、このベース２を覆うようにベース２の周縁に嵌合するカバー３とを有して構成されている。
【００２０】
ベース２には、電力量計などの電気計測器４が固定され、この電気計測器４を固定したベース２の周縁にカバー３を嵌合させることで電気計測器４がカバー３によって覆われ、ベース２とカバー３とで画成される収容空間５に電気計測器４を収容するようにしている。
【００２１】
カバー３の前面には、ガラス、透明プラスチック等の透明部材が嵌め込まれた検針窓６が設けられ、電気計測器４の目盛表示部を検針窓６を通して視認できるようになっている。
このカバー３は、検針窓６より下方の部分を境にして上下に二分された上側カバー構成部材３ａと下側カバー構成部材３ｂとにより構成されている。
【００２２】
上側カバー構成部材３ａと下側カバー構成部材３ｂは、上側カバー構成部材３ａの前面下縁と下側カバー構成部材３ｂの前面上縁とを、例えば外面に取り付けられた蝶番からなるヒンジ機構７により回動可能に連結されている。このため、下側カバー構成部材３ｂは、ヒンジ機構７を中心として前方側から上方へ向かって回動し、上側カバー構成部材３ａよりも前方へ変位可能となっている。
【００２３】
ここで、ヒンジ機構７は、下側カバー構成部材３ｂを任意の位置まで回動させた後に手を放しても、その位置を保持することができるように、適度な摩擦力をもって回動されるようになっている。
【００２４】
カバー３は、ベース２の周縁に外側から重なり合うように嵌合する隆起状嵌合部８が嵌合縁部のほぼ全周に亘って形成され、また、この例において上側カバー構成部材３ａの下端両側縁には、下側カバー構成部材３ｂの上端両側縁を外側から重なり合うように嵌合する隆起状嵌合部９が形成されている。そして、ベース２と上側カバー構成部材３ａとの嵌合部分には、図２にも示されるように、ベース２に外方へ突出した嵌合突起１０が一体に形成され、上側カバー構成部材３ａに前記嵌合突起１０に外側から嵌合する嵌合受け部１１が一体に形成されている。
【００２５】
したがって、下側カバー構成部材３ｂは、これを閉じた状態においては、ベース２に対して外側から嵌合し、上側カバー構成部材３ａに対して内側から嵌合するようになっている。
【００２６】
また、カバー３の内側（上側カバー構成部材３ａと下側カバー構成部材３ｂの内側）には、図３に示されるように、上側カバー構成部材３ａの下端前縁部と下側カバー構成部材３ｂの上側前縁部との間をシールするシール部材１５が設けられている。このシール部材１５は、上側カバー構成部材３ａおよび下側カバー構成部材３ｂの横幅の全体に亘って設けられることが好ましく、下側カバー構成部材３ｂを回動させた場合でもシール状態に影響がないように取り付けられている。
【００２７】
さらに、下側カバー構成部材３ｂには、開いた際にベース２と嵌合する嵌合縁よりも下方へ延出可能なシート部材１６が収容されている。このシート部材１６は、アクリル板のような透明の薄板状に構成され、下側カバー構成部材３ｂの内側において、例えば蝶番からなる回動部材１７により電気計測器４やケーブル等と干渉しないように回動可能に取り付けられている。
【００２８】
以上の構成において、電気計測器４の端子部にアクセスして、例えば、ケーブルの取り付け、取り外し作業を行う場合には、下側カバー構成部材３ｂをヒンジ機構７を中心として前方側から上方へ向かって回動し、図４に示されるような位置（上側カバー構成部材３ａの前方に下側カバー構成部材３ｂを位置させ、それぞれの下端がほぼ同じレベルとなる位置）まで回動させる。
【００２９】
その際、下側カバー構成部材３ｂを上方へ向かって回動させると、上側カバー構成部材３ａがその動きに伴ってベース２から外れることが懸念されるが、上側カバー構成部材３ａとベース２との嵌合部分には、嵌合突起１０と嵌合受け部１１とにより構成された係合手段が設けられているので、上方へ押し上げる力がかかっても、上側カバー構成部材３ａがベース２から外れることがなくなる。
【００３０】
そして、この状態で手を放して下側カバー構成部材３ｂを上側カバー構成部材３ａの前方に配置させた状態で保持する。すると、下側カバー構成部材３ｂが上側カバー構成部材３ａの前方にひさし状に突き出た状態となり、これらカバー構成部材（上側カバー構成部材３ａと下側カバー構成部材３ｂ）の下方に大きな作業空間が形成される。このため、雨天時の作業においても、雨が電気計測器にかかって濡れることがなくなり、雨天時での作業が可能になると共に感電する恐れが無くなる。しかも、下側カバー構成部材３ｂを開けた状態においても、上側カバー構成部材３ａの下端前縁部と下側カバー構成部材３ｂの上端前縁部との間は、シール部材１５により内側からシールされているので、雨水が上側カバー構成部材３ａと下側カバー構成部材３ｂとの間を伝って滴り落ちることがなくなり、作業道具や手に雨水がかかることがなくなり、結果として電気計測器４に雨水が付着することがなくなる。
【００３１】
さらに、電気計測器４に対する作業時において、図５に示されるように、下側カバー構成部材３ｂを開いた状態においてシート部材１６を回動させて垂れ下げた状態にすることで、前方から飛散する雨水が電気計測器４に付着することがなくなり、より確実に電気計測器４が濡れることを防ぐことが可能となる。また、作業中に万が一短絡によるアークが発生した場合においても、垂れ下がっているシート部材１６によりアークで火傷する恐れを少なくする（火傷の範囲を縮小する）ことが可能となる。
【００３２】
尚、上述の構成においては、ヒンジ機構７をカバー３の外側に設けた例を示したが、ヒンジ機構７をカバー３の内側に設けて上側カバー構成部材３ａと下側カバー構成部材３ｂとを相対的に回動（下側カバー構成部材を前方側から上方へ向かって回動）させるようにしてもよい。
また、シート部材１６は、板状のもので構成した例を示したが、ロール状のもので構成し、下側カバー構成部材３ｂの収納時に丸めて収納し、下側カバー構成部材３ｂを開けて垂れ下げる際に伸ばして用いるようにしてもよい。
【符号の説明】
【００３３】
１  計器箱
２  ベース
３  カバー
３ａ  上側カバー構成部材
３ｂ  下側カバー構成部材
４  電気計測器
５  収容空間
６  検針窓
７  ヒンジ機構
１０  嵌合突部
１１  嵌合受け部
１５  シール部材
１６  シート部材
【図１】
2013142632.tif 000003
【図２】
2013142632.tif 000004
【図３】
2013142632.tif 000005
【図４】
2013142632.tif 000006
【図５】
2013142632.tif 000007